(57)【要約】【解決手段】汚水処理装置は嫌気処理部１と好気処理部２と固液分離部３とを備えている。嫌気処理部１として汚水流入口５と処理汚水出口６との間に接続した嫌気処理管４を採用している。嫌気処理管４においては、複数段の堰１５を汚水流入口５と処理汚水出口６との間で通路に並設し、汚水流入口５と一段目の堰１５との間の処理室と、一段目の堰１５と最終段目の堰１５との間で互いに隣接する両堰１５間の処理室と、最終段目の堰１５と処理汚水出口６との間の処理室とに通路を区画している。嫌気処理管４には固液分離部３からの処理汚泥２９が各処理室で流入汚水２８と混合する汚泥として返送される汚泥混合口１９，２０を設けている。【効果】流入汚水２８に対する分解処理能力を高めることができる。【選択図】図１
2006181467.tif 000002
【特許請求の範囲】
【請求項１】
汚水流入口から流入した流入汚水を分解処理して処理物出口から処理物を排出する処理路として、この汚水流入口と処理物出口との間に接続した処理管を採用し、この処理管においては、複数段の流量規制手段を汚水流入口と処理汚水出口との間で通路に並設し、汚水流入口と一段目の流量規制手段との間の処理室と、一段目の流量規制手段と最終段目の流量規制手段との間で互いに隣接する両流量規制手段間の処理室と、最終段目の流量規制手段と処理汚水出口との間の処理室とにこの通路を区画したことを特徴とする汚水処理装置。
【請求項２】
汚水流入口から流入した流入汚水に対し微生物を働かせることによりこの流入汚水を分解処理する嫌気処理を行って処理汚水出口から処理汚水を排出する嫌気処理部と、この嫌気処理部で処理された処理汚水に対し酸素供給条件下で微生物を働かせることによりその処理汚水を分解処理する好気処理部とを備え、
前記嫌気処理部として汚水流入口と処理汚水出口との間に接続した嫌気処理管を採用し、この嫌気処理管においては、複数段の流量規制手段を汚水流入口と処理汚水出口との間で通路に並設し、汚水流入口と一段目の流量規制手段との間の処理室と、一段目の流量規制手段と最終段目の流量規制手段との間で互いに隣接する両流量規制手段間の処理室と、最終段目の流量規制手段と処理汚水出口との間の処理室とにこの通路を区画した
ことを特徴とする汚水処理装置。
【請求項３】
汚水流入口から流入した流入汚水に対し微生物を働かせることによりこの流入汚水を分解処理する嫌気処理を行って処理汚水出口から処理汚水を排出する嫌気処理部と、この嫌気処理部で処理された処理汚水を処理汚泥と処理水とに分離する固液分離部とを備え、
前記嫌気処理部として汚水流入口と処理汚水出口との間に接続した嫌気処理管を採用し、この嫌気処理管においては、複数段の流量規制手段を汚水流入口と処理汚水出口との間で通路に並設し、汚水流入口と一段目の流量規制手段との間の処理室と、一段目の流量規制手段と最終段目の流量規制手段との間で互いに隣接する両流量規制手段間の処理室と、最終段目の流量規制手段と処理汚水出口との間の処理室とにこの通路を区画した
ことを特徴とする汚水処理装置。
【請求項４】
汚水流入口から流入した流入汚水に対し微生物を働かせることによりこの流入汚水を分解処理する嫌気処理を行って処理汚水出口から処理汚水を排出する嫌気処理部と、この嫌気処理部で処理された処理汚水に対し酸素供給条件下で微生物を働かせることによりその処理汚水を分解処理する好気処理部と、この好気処理部で処理された処理汚水を処理汚泥と処理水とに分離する固液分離部とを備え、
前記嫌気処理部として汚水流入口と処理汚水出口との間に接続した嫌気処理管を採用し、この嫌気処理管においては、複数段の流量規制手段を汚水流入口と処理汚水出口との間で通路に並設し、汚水流入口と一段目の流量規制手段との間の処理室と、一段目の流量規制手段と最終段目の流量規制手段との間で互いに隣接する両流量規制手段間の処理室と、最終段目の流量規制手段と処理汚水出口との間の処理室とにこの通路を区画した
ことを特徴とする汚水処理装置。
【請求項５】
前記各処理室のうちいずれかの処理室内で汚泥滞留部を設け、その汚泥滞留部に汚泥を供給して、この汚泥滞留部から汚泥を処理室内に供給することを特徴とする請求項１から請求項４のうちいずれかの請求項に記載の汚水処理装置。
【請求項６】
前記各処理室のうち複数の処理室内で汚泥滞留部を設け、各汚泥滞留部のうち最下流側の汚泥滞留部に汚泥を汚泥混合口から供給して、この最下流側の汚泥滞留部から汚泥を処理室内に供給するとともに、この最下流側の汚泥滞留部よりも上流側の汚泥滞留部にこの最下流側の汚泥滞留部から汚泥を供給して、この上流側の汚泥滞留部から汚泥を処理室内に供給することを特徴とする請求項１から請求項４のうちいずれかの請求項に記載の汚水処理装置。
【発明の詳細な説明】
【技術分野】
【０００１】
本発明は、微生物を利用した汚水処理装置に関するものである。
【背景技術】
【０００２】
下記特許文献１にかかる汚水処理装置においては、汚水流入口５から流入した流入汚水１７と汚泥混合口１４，１５から入った汚泥１８との混合液１９，２０に対し微生物を働かせることによりこの混合液１９，２０を分解処理する嫌気処理を行って処理汚水出口６から処理汚水２０を排出する嫌気処理部１と、この嫌気処理部１で処理された処理汚水２０に対し酸素供給条件下で微生物を働かせることによりその処理汚水２０を分解処理する好気処理部２と、この好気処理部２で処理された処理汚水２１を処理汚泥１８と処理水２２とに分離する固液分離部３とを備えている。この嫌気処理部１として汚水流入口５と処理汚水出口６との間に接続した嫌気処理管４を採用している。
【特許文献１】特開２００３−３０００９１号公報
【発明の開示】
【発明が解決しようとする課題】
【０００３】
しかし、嫌気処理管４において汚水流入口５と処理汚水出口６との間で流入汚水１７の滞留時間が短いと、流入汚水１７に対する分解処理能力に劣る問題があった。
この発明は、微生物を利用した汚水処理装置において、流入汚水に対する分解処理能力を高めることを目的としている。
【課題を解決するための手段】
【０００４】
後記実施形態の図面（図１（ａ）（ｂ）、図３（ｃ）（ｄ）、図４（ａ）（ｂ）及び図５（ａ）に示す第１実施形態、図２（ａ）（ｂ）、図３（ｃ）（ｄ）、図４（ａ）（ｂ）及び図５（ａ）に示す第２実施形態、図３（ａ）（ｂ）、図３（ｃ）（ｄ）、図４（ａ）（ｂ）及び図５（ａ）に示す第３実施形態、図５（ｂ）に示す第４実施形態、図５（ｃ）に示す第５実施形態）の符号を援用して本発明を説明する。
【０００５】
請求項１の発明にかかる汚水処理装置は、第１〜５実施形態に対応し、下記のように構成されている。
汚水流入口(５)から流入した流入汚水（２８）を分解処理して処理物出口（６）から処理物（３１）を排出する処理路として、この汚水流入口（５）と処理物出口（６）との間に接続した処理管（４）を採用している。この処理管（４）においては、複数段の流量規制手段（１５）を汚水流入口（５）と処理物出口（６）との間で通路（７）に並設し、汚水流入口（５）と一段目の流量規制手段（１５）との間の処理室（１６）と、一段目の流量規制手段（１５）と最終段目の流量規制手段（１５）との間で互いに隣接する両流量規制手段（１５）間の処理室（１７）と、最終段目の流量規制手段（１５）と処理物出口（６）との間の処理室（１８）とにこの通路（７）を区画している。例えば、この処理管（４）にはこの各処理室（１６，１７，１８）のうちいずれかの処理室（１６，１７，１８）で流入汚水（２８）と混合する汚泥（２９）が供給される汚泥混合口（１９，２０，３７）を設けている。
【０００６】
請求項１の発明では、処理管（４）において、各流量規制手段（１５）を流入汚水（２８）の量に応じて調節すると、流入汚水（２８）は、まず、汚水流入口（５）に至り、各流量規制手段（１５）を通って各処理室（１６，１７，１８）を滞留しながら、処理物出口（６）へ順次流れ、流入汚水（２８）に対する分解処理能力を高めることができる。
【０００７】
請求項２の発明にかかる汚水処理装置は、第１，４，５実施形態に対応し、下記のように構成されている。
この汚水処理装置は、汚水流入口（５）から流入した流入汚水（２８）に対し微生物を働かせることによりこの流入汚水（２８）を分解処理する嫌気処理を行って処理汚水出口（６）から処理汚水（３１）を排出する嫌気処理部（１）と、この嫌気処理部（１）で処理された処理汚水（３１）に対し酸素供給条件下で微生物を働かせることによりその処理汚水（３１）を分解処理する好気処理部（２）とを備えている。前記嫌気処理部（１）として汚水流入口（５）と処理汚水出口（６）との間に接続した嫌気処理管（４）を採用している。この嫌気処理管（４）においては、複数段の流量規制手段（１５）を汚水流入口（５）と処理汚水出口（６）との間で通路（７）に並設し、汚水流入口（５）と一段目の流量規制手段（１５）との間の処理室（１６）と、一段目の流量規制手段（１５）と最終段目の流量規制手段（１５）との間で互いに隣接する両流量規制手段（１５）間の処理室（１７）と、最終段目の流量規制手段（１５）と処理汚水出口（６）との間の処理室（１８）とにこの通路（７）を区画している。例えば、この嫌気処理管（４）にはこの各処理室（１６，１７，１８）のうちいずれかの処理室（１６，１７，１８）で流入汚水（２８）と混合する汚泥（２９）が供給される汚泥混合口（１９，２０，３７）を設けている。そして、この嫌気処理管（４）においては、汚水流入口（５）から流入した流入汚水（２８）と汚泥混合口（１９，２０，３７）から入った汚泥（２９）との混合液（３０，３１）に対し微生物を働かせることによりこの混合液（３０，３１）を分解処理する嫌気処理を行って処理汚水出口（６）から処理汚水（３１）を排出する。
【０００８】
請求項３の発明にかかる汚水処理装置は、第２，４，５実施形態に対応し、下記のように構成されている。
この汚水処理装置は、汚水流入口（５）から流入した流入汚水（２８）に対し微生物を働かせることによりこの流入汚水（２８）を分解処理する嫌気処理を行って処理汚水出口（６）から処理汚水（３１）を排出する嫌気処理部（１）と、この嫌気処理部（１）で処理された処理汚水（３１）を処理汚泥（２９）と処理水（３３）とに分離する固液分離部（３）とを備えている。前記嫌気処理部（１）として汚水流入口（５）と処理汚水出口（６）との間に接続した嫌気処理管（４）を採用している。この嫌気処理管（４）においては、複数段の流量規制手段（１５）を汚水流入口（５）と処理汚水出口（６）との間で通路（７）に並設し、汚水流入口（５）と一段目の流量規制手段（１５）との間の処理室（１６）と、一段目の流量規制手段（１５）と最終段目の流量規制手段（１５）との間で互いに隣接する両流量規制手段（１５）間の処理室（１７）と、最終段目の流量規制手段（１５）と処理汚水出口（６）との間の処理室（１８）とにこの通路（７）を区画している。例えば、この嫌気処理管（４）には前記固液分離部（３）からの処理汚泥（２９）がこの各処理室（１６，１７，１８）のうちいずれかの処理室（１６，１７，１８）で流入汚水（２８）と混合する汚泥（２９）として直接的にまたは間接的に返送される汚泥混合口（１９，２０，３７）を設けている。
【０００９】
請求項４の発明にかかる汚水処理装置は、第１，４，５実施形態に対応し、下記のように構成されている。
この汚水処理装置は、汚水流入口（５）から流入した流入汚水（２８）に対し微生物を働かせることによりこの流入汚水（２８）を分解処理する嫌気処理を行って処理汚水出口（６）から処理汚水（３１）を排出する嫌気処理部（１）と、この嫌気処理部（１）で処理された処理汚水（３１）に対し酸素供給条件下で微生物を働かせることによりその処理汚水（３１）を分解処理する好気処理部（２）と、この好気処理部（２）で処理された処理汚水（３２）を処理汚泥（２９）と処理水（３３）とに分離する固液分離部（３）とを備えている。前記嫌気処理部（１）として汚水流入口（５）と処理汚水出口（６）との間に接続した嫌気処理管（４）を採用している。この嫌気処理管（４）においては、複数段の流量規制手段（１５）を汚水流入口（５）と処理汚水出口（６）との間で通路（７）に並設し、汚水流入口（５）と一段目の流量規制手段（１５）との間の処理室（１６）と、一段目の流量規制手段（１５）と最終段目の流量規制手段（１５）との間で互いに隣接する両流量規制手段（１５）間の処理室（１７）と、最終段目の流量規制手段（１５）と処理汚水出口（６）との間の処理室（１８）とにこの通路（７）を区画している。例えば、この嫌気処理管（４）には前記固液分離部（３）からの処理汚泥（２９）がこの各処理室（１６，１７，１８）のうちいずれかの処理室（１６，１７，１８）で流入汚水（２８）と混合する汚泥として直接的にまたは間接的に返送される汚泥混合口（１９，２０，３７）を設けている。
【００１０】
請求項２〜４の発明では、嫌気処理管（４）において、各流量規制手段（１５）を流入汚水（２８）の量に応じて調節すると、流入汚水（２８）は、まず、汚水流入口（５）に至り、各流量規制手段（１５）を通って各処理室（１６，１７，１８）を滞留しながら、処理汚水出口（６）へ順次流れ、流入汚水（２８）に対する分解処理能力を高めることができる。
【００１１】
請求項１から請求項４のうちいずれかの請求項の発明を前提とする請求項５の発明（第４〜５実施形態に対応）においては、前記各処理室（１６，１７，１８）のうちいずれかの処理室（１６，１７，１８）内で汚泥滞留部（３５，３６）を設け、その汚泥滞留部（３５，３６）に汚泥（２９）を供給して、この汚泥滞留部（３５，３６）から汚泥（２９）を処理室（１６，１７，１８）内に供給する。ちなみに、汚泥滞留部（３５，３６）については、各処理室（１６，１７，１８）において、上流側に配設しても下流側に配設してもよい。
【００１２】
請求項１から請求項４のうちいずれかの請求項の発明を前提とする請求項６の発明（第５実施形態に対応）においては、前記各処理室（１６，１７，１８）のうち複数の処理室（１６，１７，１８）内で汚泥滞留部（３５，３６）を設け、各汚泥滞留部（３５，３６）のうち最下流側の汚泥滞留部（３６）に汚泥（２９）を汚泥混合口（３７）から供給して、この最下流側の汚泥滞留部（３６）から汚泥（２９）を処理室（１８）内に供給するとともに、この最下流側の汚泥滞留部（３６）よりも上流側の汚泥滞留部（３５）にこの最下流側の汚泥滞留部（３６）から汚泥（２９）を供給して、この上流側の汚泥滞留部（３５）から汚泥（２９）を処理室（１６，１７）内に供給する。
【００１３】
請求項５〜６の発明では、汚泥滞留部（３５，３６）から汚泥（２９）が処理室（１６，１７，１８）内に供給される際、汚泥（２９）が流入汚水（２８）に落下してその落下に伴う攪拌効果により流入汚水（２８）が空気と接触し易くなり、自己酸化力により流入汚水（２８）に対する分解処理能力をより一層高めることができる。
【００１４】
請求項１から請求項６のうちいずれかの請求項の発明を前提とする第７の発明においては、前記流量規制手段は通路（７）を上流側と下流側とに仕切る仕切板（２４）を有する堰（１５）を備え、この堰（１５）にあって仕切板（２４）が通路（７）の底面（７ａ）に対し接近離間する。
【００１５】
第７の発明を前提とする第８の発明においては、前記仕切板（２４）が通路（７）の底面（７ａ）に対し最接近した状態（Ｄ）でも上流側と下流側とを常時連通するように通路（７）の底面（７ａ）に面する仕切板（２４）の下縁部（２５ａ）とその底面（７ａ）との間で連通路（Ｓ）を設けている。
【００１６】
第７，８の発明では、簡単な構造の流量規制手段により、汚水流量を調節することができる。
【発明の効果】
【００１７】
本発明は、微生物を利用した汚水処理装置において、流入汚水（２８）に対する分解処理能力を高めることができる。
【発明を実施するための最良の形態】
【００１８】
まず、本発明の第１実施形態にかかる汚水処理装置について図１（ａ）（ｂ）、図３（ｃ）（ｄ）、図４（ａ）（ｂ）及び図５（ａ）を参照して説明する。
この汚水処理装置は図１（ａ）（ｂ）に示すように嫌気処理部１と好気処理部２と固液分離部３とからなる。
【００１９】
この嫌気処理部１は、耐気性部（一次処理部）及び絶対嫌気性部（二次処理部）を有する断面円筒状の嫌気処理管４を備えている。この嫌気処理管４は、汚水流入口５と処理汚水出口６（処理物出口）との間で通路７を有し、汚水流入口５から所定長さだけ所定形態で延設された断面円筒状の主管である耐気性管８（前記耐気性部）と、この耐気性管８から処理汚水出口６まで所定長さだけ所定形態で延設された断面円筒状の主管である絶対嫌気性管９（前記絶対嫌気性部）とを備えている。この耐気性管８や絶対嫌気性管９として、柔軟性を有するゴムホース等の可撓ホ−ス（撓み管）や、柔軟性のない鋼管や樹脂管等を利用することができる。なお、管については、断面凹状の通路なども含むように広義の意味に解釈する。この嫌気処理管４（耐気性管８や絶対嫌気性管９）の形態については、設置場所に応じて適宜決定され、例えば、渦巻き状に延設したりコイルばね状に延設したり蛇行状に延設したりして設置スペースを節約する。この嫌気処理管４（耐気性管８や絶対嫌気性管９）の長さや内外径は、一般家庭の住宅やマンション等の集合住宅や工場などの設置場所により異なり、必要な処理能力に応じて決定される。また、既存の汚水配管内に可撓ホ−スを通してもよい。
【００２０】
前記好気処理部２は前記嫌気処理管４（耐気性管８や絶対嫌気性管９）よりも大径の好気処理管１０（微好気性部）を備え、この好気処理管１０が前記絶対嫌気性管９の処理汚水出口６に連結されている。また、前記固液分離部３は、前記嫌気処理管４（耐気性管８や絶対嫌気性管９）よりも大径の固液分離処理管１１を備え、前記好気処理管１０に対し接続管１２により連結されている。この固液分離処理管１１には処理汚泥排出口１３と処理水排出口１４とが設けられている。
【００２１】
前記嫌気処理管４（耐気性管８や絶対嫌気性管９）においては、汚水流入口５と処理汚水出口６との間で通路７に複数段の流量規制手段としての堰１５が並設されている。図５（ａ）にも示すように、この通路７は、汚水流入口５と一段目の堰１５との間の処理室１６と、一段目の堰１５と最終段目の堰１５との間で互いに隣接する両堰１５間の処理室１７と、最終段目の堰１５と処理汚水出口６との間の処理室１８とに区画されている。前記嫌気処理管４（耐気性管８や絶対嫌気性管９）には、処理室１６において汚泥混合口１９が設けられているとともに、各処理室１７，１８において堰１５よりも下流側で堰１５に隣接して複数の汚泥混合口１９，２０が設けられている。前記固液分離処理管１１の処理汚泥排出口１３は、汚泥返送経路としての汚泥返送管２１によりタイマー式ポンプ２２と分配弁２３とを介して耐気性管８の各汚泥混合口１９と絶対嫌気性管９の各汚泥混合口２０とに対し接続されている。なお、各処理室１６，１７，１８のうち一部のもの(複数の処理室)に汚泥混合口を設けてもよい。
【００２２】
図４（ａ）（ｂ）に示すように、前記各堰１５において、通路７を上流側と下流側とに仕切る仕切板２４は、複数に分割されて互いに並設された各可動板２５を有し、この各可動板２５は支持台２６に対し雌雄ねじ機構２７により上下動操作可能に支持されて通路７の底面７ａに対し接近離間する。この各可動板２５を通路７の底面７ａから上動させて開いた状態Ｕばかりではなく、この各可動板２５を通路７の底面７ａに対し最接近させた状態Ｄでも通路７の上流側と下流側とを常時連通するように、通路７の底面７ａに面する可動板２５の下縁部２５ａとその底面７ａとの間で連通路Ｓが生じる。
【００２３】
前記各堰１５においては、流入汚水２８の量に応じて各可動板２５の上下動位置を決めて開度を調節する。流入汚水２８は、まず、前記耐気性管８の汚水流入口５に至り、各堰１５を通ってこの耐気性管８の各処理室１６，１７を滞留しながら順次流れる。その際、この耐気性管８の各処理室１６，１７では、後述するように前記固液分離処理管１１から汚泥返送管２１により返送された処理汚泥２９（活性汚泥）が、図３（ｃ）に示すように汚泥混合口１９から取り込まれ、酸素が少ない状態にある流入汚水２８に混合されるとともに、この処理汚泥２９からのみ酸素が流入汚水２８に補充される。そのため、前記処理汚泥２９内の微生物が、流入汚水２８への処理汚泥２９の取り込み位置Ｐで、混合液３０（各汚泥混合口１９において取り込み位置Ｐよりも上流側の汚水に対し処理汚泥２９が混合された下流側の汚水）に接触する。ちなみに、流入汚水２８（上流側汚水）は、汚水流入口５に最も近い汚泥混合口１９から、前記絶対嫌気性管９に最も近い汚泥混合口１９に至るほど、処理汚泥２９との混合に伴い微生物との接触が促進されて順次改善処理された混合液３０（下流側汚水）となる。
【００２４】
次に、前述したように耐気性管８で処理汚泥２９との混合に伴い順次改善処理された混合液３０は、前記絶対嫌気性管９に至り、各堰１５を通ってこの絶対嫌気性管９の各処理室１７，１８を滞留しながら順次流れる。この混合液３０が耐気性管８の汚水流入口５から絶対嫌気性管９の処理汚水出口６に至るまでの間に、混合液３０に対し微生物が働くと、酸素の供給が極めて少ない状態で、混合液３０は、有機酸やアルコールなどの代謝生産物を経て、二酸化炭素や水や硫化水素やメタンや窒素ガスなどに分解処理される。その場合、悪臭発生源となる脂肪及び油を吸着及び酸化して悪臭を除去する。この絶対嫌気性管９の各処理室１７，１８においても、後述するように前記固液分離処理管１１から汚泥返送管２１により返送された処理汚泥２９（活性汚泥）が、図３（ｄ）に示すように汚泥混合口２０から取り込まれて混合液３０（各汚泥混合口２０において取り込み位置Ｐよりも上流側の汚水）に混合される。そのため、前記処理汚泥２９内の微生物が、混合液３０への処理汚泥２９の取り込み位置Ｐで、混合液３０に補充されて処理汚水３１（各汚泥混合口２０において取り込み位置Ｐよりも下流側の汚水）となる。ちなみに、混合液３０（上流側汚水）は、耐気性管８に最も近い汚泥混合口２０から、絶対嫌気性管９の処理汚水出口６に最も近い汚泥混合口２０に至るほど、処理汚泥２９との混合に伴い微生物による分解処理が促進されて順次改善処理された処理汚水３１（下流側汚水）となる。
【００２５】
次に、前記絶対嫌気性管９で処理された処理汚水３１は前記好気処理管１０（例えばエア供給攪拌機能を有する曝気管）に至る。この処理汚水３１に対し酸素供給条件下で微生物が働くと、この処理汚水３１において、窒素化合物がアンモニアや硝酸塩などに、一部の有機化合物が二酸化炭素や水になどに、それぞれ分解処理される。その場合、この微生物は曝気管でスカム発泡を抑制する。
【００２６】
次に、前記好気処理管１０で処理された処理汚水３２は前記固液分離処理管１１（例えば沈殿管）に至る。この処理汚水３２は、前記処理汚泥排出口１３から排出される処理汚泥２９と、前記処理水排出口１４から排出される処理水３３とに分離される。この処理水３３は例えば河川などに放流される。この処理汚泥２９は、前記耐気性管８で流入汚水２８と混合される汚泥として前記汚泥返送管２１により強制的に返送されるとともに、前記絶対嫌気性管９で混合液３０と混合される汚泥として前記汚泥返送管２１により強制的に返送される。ちなみに、この処理汚泥２９については、嫌気処理管４（耐気性管８や絶対嫌気性管９）へ直接的に返送しても何らかの処理槽を介して間接的に返送してもよい。なお、固液分離処理管１１からの処理汚泥２９とは別に汚泥を供給管３４から補充的に投入してもよい。
【００２７】
次に、本発明の第２実施形態にかかる汚水処理装置について第１実施形態との相違点中心に図２（ａ）（ｂ）、図３（ｃ）（ｄ）、図４（ａ）（ｂ）及び図５（ａ）を参照して説明する。
【００２８】
この汚水処理装置においては、前記第１実施形態における嫌気処理管４（耐気性管８や絶対嫌気性管９）が十分に長い場合には分解処理が促進されるため、前記第１実施形態における好気処理部２が省略され、前記絶対嫌気性管９の処理汚水出口６が前記固液分離処理管１１に連結されている。そのため、絶対嫌気性管９で処理された処理汚水３１が固液分離処理管１１に至る。この処理汚水３１は、処理汚泥排出口１３から排出される処理汚泥２９と、処理水排出口１４から排出される処理水３３とに分離される。
【００２９】
次に、本発明の第３実施形態にかかる汚水処理装置について第１実施形態との相違点中心に図３（ａ）（ｂ）、図３（ｃ）（ｄ）、図４（ａ）（ｂ）及び図５（ａ）を参照して説明する。
【００３０】
この汚水処理装置においては、前記第１実施形態における嫌気処理管４（耐気性管８や絶対嫌気性管９）が十分に長い場合には分解処理が促進されるため、前記第１実施形態における好気処理部２と固液分離部３とが省略されている。そのため、絶対嫌気性管９で処理された処理汚水３１が処理汚水出口６（処理物出口）から処理水（処理物）として例えば河川などに放流される。前記第１実施形態における汚泥返送管２１は省略され、耐気性管８の各汚泥混合口１９や絶対嫌気性管９の各汚泥混合口２０には、前記固液分離処理管１１からの処理汚泥２９以外の汚泥が前記汚泥供給管３４から投入される。
【００３１】
次に、第１実施形態と第２実施形態と第３実施形態とにおいて嫌気処理管４（耐気性管８や絶対嫌気性管９）を変更した第４実施形態について図５（ｂ）を参照して説明する。
前記処理室１６内においてその上流側に汚泥滞留槽３５（汚泥滞留部）が設けられているとともに、前記各処理室１７，１８内において堰１５よりも下流側で堰１５に隣接して汚泥滞留槽３５，３６（汚泥滞留部）が設けられている。この各汚泥滞留槽３５，３６に対し固液分離処理管１１からの処理汚泥２９が汚泥混合口１９，２０を通して供給される。そして、この各汚泥滞留槽３５，３６で処理汚泥２９が滞留した後に溢れ出て各処理室１６，１７，１８に供給される。
【００３２】
次に、第１実施形態と第２実施形態と第３実施形態とにおいて嫌気処理管４（耐気性管８や絶対嫌気性管９）を変更した第５実施形態について図５（ｃ）を参照して説明する。
前記処理室１６内において汚泥滞留槽３５（汚泥滞留部）が設けられているとともに、前記各処理室１７，１８内において堰１５よりも下流側で堰１５に隣接して汚泥滞留槽３５，３６（汚泥滞留部）が設けられている。この各汚泥滞留槽３５，３６のうち最下流側の汚泥滞留槽３６の上方で前記嫌気処理管４には汚泥混合口３７が設けられている。前記固液分離処理管１１の処理汚泥排出口１３は汚泥返送管２１によりタイマー式ポンプ２２を介してこの汚泥混合口３７に接続されている。最下流側の汚泥滞留槽３６には固液分離処理管１１からの処理汚泥２９が汚泥混合口３７を通して供給される。また、最下流側の汚泥滞留槽３６とこれに対し上流側で隣接する汚泥滞留槽３５とはタイマー式ポンプ３８を介して汚泥返送管３９により接続され、処理汚泥２９がこの汚泥返送管３９によりこの汚泥滞留槽３６から汚泥滞留槽３５に供給される。さらに、各汚泥滞留槽３５のうち上流側と下流側とで互いに隣接する両汚泥滞留槽３５もタイマー式ポンプ３８を介して汚泥返送管３９により互いに接続され、処理汚泥２９がこの汚泥返送管３９により下流側の汚泥滞留槽３５から上流側の汚泥滞留槽３５に順次供給される。そして、この各汚泥滞留槽３５，３６で処理汚泥２９が滞留した後に溢れ出て各処理室１６，１７，１８に供給される。
【図面の簡単な説明】
【００３３】
【図１】（ａ）（ｂ）はそれぞれ第１実施形態にかかる汚水処理装置を概略的に示すシステム図である。
【図２】（ａ）（ｂ）はそれぞれ第２実施形態にかかる汚水処理装置を概略的に示すシステム図である。
【図３】（ａ）（ｂ）はそれぞれ第３実施形態にかかる汚水処理装置を概略的に示すシステム図であり、（ｃ）は第１実施形態と第２実施形態と第３実施形態とにかかる耐気性管において流入汚水と汚泥との混合部を概略的に示す部分拡大図であり、（ｄ）は第１実施形態と第２実施形態と第３実施形態とにかかる絶対嫌気性管において混合液と汚泥との混合部を概略的に示す部分拡大図である。
【図４】（ａ）は第１実施形態と第２実施形態と第３実施形態とにかかる堰において閉状態を概略的に示す縦断面図であり、（ｂ）は同じく開状態を概略的に示す縦断面図である。
【図５】（ａ）は第１実施形態と第２実施形態と第３実施形態とにおいて嫌気処理管を示す部分システム図であり、（ｂ）は第１実施形態と第２実施形態と第３実施形態とにおいて嫌気処理管を変更した第４実施形態で汚水処理装置を概略的に示す部分システム図であり、（ｃ）は第１実施形態と第２実施形態と第３実施形態とにおいて嫌気処理管を変更した第５実施形態で汚水処理装置を概略的に示す部分システム図である。
【符号の説明】
【００３４】
１…嫌気処理部、２…好気処理部、３…固液分離部、４…嫌気処理管、５…汚水流入口、６…処理汚水出口、７…通路、７ａ…通路の底面、１５…堰（流量規制手段）、１６，１７，１８…処理室、１９，２０，３７…汚泥混合口、２４…仕切板、２８…流入汚水、２９…処理汚泥、３０…混合液、３１，３２…処理汚水、３３…処理水、３５，３６…汚泥滞留槽。
【図１】
2006181467.tif 000003
【図２】
2006181467.tif 000004
【図３】
2006181467.tif 000005
【図４】
2006181467.tif 000006
【図５】
2006181467.tif 000007